(57)【要約】【課題】スペース節減、コスト引き下げ等の効果を達成することができる直接照明と間接照明の機能を兼ね備える両面ランプを提供する。【解決手段】ランプシート２０は、天井２００下方に設置され、天井２００との間に所定の間隔距離ｈを保持する。ランプシート２０の天井２００側には第一光源３０を設置し、天井２００下方に対して直接照明として作用する。ランプシート２０の天井２００とは反対側には第二光源４０を設置し、光線は天井２００に反射され間接照明を提供する。これにより、使用者は環境の必要に応じて、第一光源３０をオンにし高照度の照明効果を得るか、或いは第二光源４０をオンにし柔和な照明効果を得るかを選択することができる。【選択図】図４
0003171666.tif 000002
【実用新案登録請求の範囲】
【請求項１】
天井の下方に設置され、天井との間に所定の間隔距離を保持し、天井側に上面を形成し、天井とは反対側に底面を形成するランプシートと、
前記ランプシートの前記底面に設置される第一光源と、
前記ランプシートの前記上面に設置される第二光源と、
を備えることを特徴とする両面ランプ。
【請求項２】
前記第一光源は、電球、蛍光灯、ＬＥＤ、ライトバー、ライトプレートの内の１つ、或いは、それらの組合せであることを特徴とする請求項１に記載の両面ランプ。
【請求項３】
前記第二光源は、電球、蛍光灯、ＬＥＤ、ライトバー、ライトプレートの内の１つ、或いは、それらの組合せであることを特徴とする請求項１に記載の両面ランプ。
【請求項４】
固定フレームをさらに備え、
前記固定フレームの一端は、固定部を有し、
前記固定部は、天井に固定され、
前記固定フレームの他端は、天井下方へと延伸し、連接部を有し、
前記連接部は、前記ランプシートに接続可能であることを特徴とする請求項１に記載の両面ランプ。
【請求項５】
前記ランプシートは、金属材料により一体成型されていることを特徴とする請求項１に記載の両面ランプ。
【請求項６】
前記ランプシートの前記上面および前記底面のそれぞれを覆うランプシェードをさらに備えることを特徴とする請求項１に記載の両面ランプ。
【請求項７】
前記ランプシェードには、図案が設けられていることを特徴とする請求項６に記載の両面ランプ。
【考案の詳細な説明】
【技術分野】
【０００１】
本考案は、直接照明と間接照明の機能を兼ね備える両面ランプに関する。
【背景技術】
【０００２】
一般に、建築物の照明具の多くは、天井に設置され、建築物の室内空間に対して直接照明となり、最大の照度を提供する。
しかし、直接照明の光線は、目に強い刺激を与え、まぶしく、また明る過ぎるという問題を引き起こし易い。また、これにより、照明具の使用者は、集中力が落ち、疲れを感じるという状況に陥るおそれがある。
【０００３】
そのため、間接照明の使用が広がり始めている。
間接照明とは、照明具を天井の下方に設置し、照明具を天井に向けて照射させるものである。
これにより、照明具が射出する光線は、先ず天井を照射し、次に天井から反射して室内空間に向かうため、光線を柔らかくすることができ、上記の直接照明の欠点を改善できるばかりか、室内空間に良い雰囲気をもたせることができる。
【０００４】
しかし、間接照明は天井に反射させる必要があるため、照明具の照度を大きく落としてしまう。
よって、現行の方式は、天井にメインライトを設置し、これを直接照明として使用し、天井下方には、複数のサブライトを設置して、間接照明として使用するものである。
これにより、使用者は、使用のニーズに基づき、いつでも直接照明或いは間接照明を選択することができる。
【０００５】
しかし、メインライトと各サブライトはすべて、独立した個体であるため、比較的多くの室内空間を占拠し、かつ、購入コストが極めて高くつくおそれがある。
特に、各サブライトは天井近くに設置しなければ、照度の減衰を減らすことはできないため、多数の固定フレームを使用する必要がある。或いは天井下方に板を設置し、各サブライトを設置する必要があり、これではコストの引き下げは不可能である。
【考案の概要】
【考案が解決しようとする課題】
【０００６】
本考案は、従来の室内照明具の上記問題を解決するためになされたものであり、その目的は、直接照明と間接照明の機能を備え、スペース節減、コスト引き下げ等の効果を達成することができる両面ランプを提供することにある。
【課題を解決するための手段】
【０００７】
上記課題を解決するため、本考案は下記の両面ランプを提供する。
両面ランプは、ランプシート、第一光源、第二光源を備えている。ランプシートは、天井の下方に設置され、天井との間に所定の間隔距離を保持する。ランプシートの天井側には上面が形成され、ランプシートの天井とは反対側には底面が形成されている。第一光源は、ランプシートの底面に設置し、第二光源は、ランプシートの上面に設置する。
本考案の両面ランプは、ランプシートを天井下方に設置し、天井との間に所定の間隔距離を保持し、かつ、ランプシートの底面には第一光源を設置し、ランプシートの上面には第二光源を設置するため、使用者が両面ランプをオンにすると、第一光源が射出する光線は、天井下方へと直接照射され、第二光源が射出する光線は、先ず天井に照射され、次に天井下方へと反射する。これにより、両面ランプは、直接照明と間接照明の機能を備え、多数の独立照明具を購入しなければならないという従来の方式の欠点を改善でき、スペース節減とコスト低下という効果を達成することができる。
【考案の効果】
【０００８】
本考案の両面ランプは、直接照明と間接照明の機能を兼ね備え、スペース節減、コスト引き下げ等の効果を達成することができる。
【図面の簡単な説明】
【０００９】
【図１】本考案の第１実施形態による両面ランプの斜視図。
【図２】本考案の第１実施形態による両面ランプの分解斜視図。
【図３】本考案の第１実施形態による両面ランプの断面図。
【図４】本考案の第１実施形態による両面ランプの使用状態を示す模式図。
【図５】本考案の第２実施形態による両面ランプの斜視図。
【図６】本考案の第３実施形態による両面ランプの斜視図。
【考案を実施するための形態】
【００１０】
以下、図面を参照しながら本考案を実施するための最良の形態について詳細に説明する。
【００１１】
（第１実施形態）
本考案の第１実施形態の斜視図、分解斜視図、断面図及び使用状態を示す模式図である図１、２、３、４に示すように、両面ランプ１００は、固定フレーム１０、ランプシート２０、第一光源３０、第二光源４０、２個のランプシェード５０を備える。
【００１２】
固定フレーム１０は、一端に固定部１１を有する。固定部１１は、図４に示すように、天井２００に固定される。
固定フレーム１０の他端は、天井２００下方へと延伸し、連接部１２を有する。
【００１３】
ランプシート２０は、天井２００の下方に設置され、天井２００との間に、所定の間隔距離ｈを保持する。
本実施形態では、ランプシート２０は、固定フレーム１０の連接部１２に固定されるよう設置し、天井２００との間に所定の間隔距離ｈを保持する。
ランプシート２０の天井２００側には、上面２１を形成し、ランプシート２０の天井２００とは反対側には、底面２２を形成する。
【００１４】
第一光源３０は、ランプシート２０の底面２２に設置され、電球、蛍光灯、ＬＥＤ、ライトバー及びライトプレートの内の１つ、或いは、それらの組合せである。
本実施形態では、第一光源３０は、１組のＬＥＤ３１により構成する。
【００１５】
第二光源４０は、ランプシート２０の上面２１に設置され、電球、蛍光灯、ＬＥＤ、ライトバー及びライトプレートの内の１つ、或いは、それらの組合せである。
本実施形態では、第二光源４０は、１組のＬＥＤ４１により構成する。
【００１６】
２個のランプシェード５０は、ランプシート２０の上面２１と底面２２とをそれぞれ覆うように設置されている。
【００１７】
図４に示すように、ランプシート２０は、天井２００下方に設置され、天井２００との間に、所定の間隔距離ｈを保持する。ランプシート２０の底面２２には、第一光源３０が設置され、ランプシート２０の上面２１には、第二光源４０が設置される。
そのため、使用者が第一光源３０をオンにすると、第一光源３０が射出する光線は、天井２００下方へと直接照射され、直接照明として使用することができ、使用者が第二光源４０をオンにすると、第二光源４０が射出する光線は、先ず天井２００に照射し、次に天井２００下方へと反射し、間接照明として使用することができる。
【００１８】
これにより、使用者は、使用のニーズに基づき、第一光源３０或いは第二光源４０の何れをオンにするか選択することができる。
例えば、使用者が読書、仕事等、比較的高い照度が必要な活動を行う時には、第一光源３０だけをオンにし、直接照明により十分な照度を得ることができる。
使用者が、映画鑑賞、パーティー等の活動を行う時には、第二光源４０をオンにし、間接照明により光線を柔らかくし、より良い雰囲気を醸すことができる。
また、もちろん、使用者は、第一光源３０と第二光源４０を同時にオンにし、バランスをとることもできる。
このように、両面ランプ１００は、直接照明と間接照明の機能を兼ね備え、多数の独立照明具を購入しなければならなかった従来の方式の欠点を改善し、スペース節減とコスト低下という効果を達成することができる。
【００１９】
（第２実施形態）
本考案の第２実施形態の斜視図である図５に示すように、本実施形態の両面ランプ１００と上述の実施形態との差異は、固定フレーム１０の固定部１１に、複数のチェーン１３を接続する点である。
固定フレーム１０の連接部１２周囲には、各チェーン１３に対応するフック１４を設置し、これにより各チェーン１３と相互に接続して固定する。
この他、本実施形態では、ランプシェード５０の外側にはさらに、図案５１が設けられている。
これにより、使用者が両面ランプ１００をオンにすると、図案５１は天井２００に投射され、両面ランプ１００の装飾効果を拡大することができ、目を楽しませる効果をも達成することができる。
【００２０】
（第３実施形態）
本考案の第３実施形態の斜視図である図６に示すように、本実施形態の両面ランプ１００と上述の実施形態との差異は、固定フレーム１０の連接部１２を、ランプシート２０上に直接接続し、ランプシート２０を金属材料により一体成形する点である。
これにより、適度な放熱性を備え、第一光源３０と第二光源４０の放熱を助けることができる。
特に、両面ランプ１００が、第一光源３０と第二光源４０にＬＥＤを採用する場合には、ＬＥＤの発熱量は、一般の電球より高いため、一体成形のランプシート２０を採用することで、ＬＥＤが生じる熱を効果的に放熱し、ＬＥＤの過熱による破損を回避することができる。
【００２１】
上記の本考案の名称と内容は、本考案の技術内容の説明に用いたのみであり、本考案を限定するものではない。本考案の精神に基づく等価的な応用或いは部品（構造）の転換、置換、数量の増減はすべて、本考案の保護範囲に含むものとする。
【産業上の利用可能性】
【００２２】
本考案は実用新案登録の要件である新規性を備え、従来の同類製品に比べ十分な進歩性を有し、実用性が高く、社会のニーズに合致しており、産業上の利用価値は非常に大きい。
【符号の説明】
【００２３】
１００  ・・・両面ランプ
１０  ・・・・固定フレーム
１１  ・・・・固定部
１２  ・・・・連接部
１３  ・・・・チェーン
１４  ・・・・フック
２０  ・・・・ランプシート
２１  ・・・・上面
２２  ・・・・底面
３０  ・・・・第一光源
３１  ・・・・ＬＥＤ
４０  ・・・・第二光源
４１  ・・・・ＬＥＤ
５０  ・・・・ランプシェード
５１  ・・・・図案
２００  ・・・天井
ｈ  ・・・・・間隔距離
【図１】
0003171666.tif 000003
【図２】
0003171666.tif 000004
【図３】
0003171666.tif 000005
【図４】
0003171666.tif 000006
【図５】
0003171666.tif 000007
【図６】
0003171666.tif 000008